(57)【要約】【課題】比較的簡単な手段でめっき促進剤の濃度を確実に管理でき、均一なめっきを施すことができる湿式めっき方法及び湿式めっき装置を提供する。【解決手段】めっき促進剤の濃度を変えた各めっき液を用いて交流インピーダンスを測定して、めっき促進剤の各濃度における位相差−周波数特性図（ボード線図）を作成し、この位相差−周波数特性図から位相差のめっき促進剤の濃度に対する依存性の大きい周波数領域を求め、この周波数領域から特定周波数を選択すると共に、該特定周波数でのめっき促進剤の濃度と位相差との関係を求めておき、使用するめっき液の前記特定周波数での交流インピーダンスを測定してその位相差を求め、該位相差が位相差許容範囲に保持されるように、めっき促進剤の補給量を制御する。【選択図】図２
2010229454.tif 000002
【特許請求の範囲】
【請求項１】
めっき促進剤を含有するめっき液を用いた湿式めっき方法において、
めっき促進剤の濃度を変えた各めっき液を用いて交流インピーダンスを測定して、めっき促進剤の各濃度における位相差−周波数特性図を作成し、
この位相差−周波数特性図から位相差のめっき促進剤の濃度に対する依存性の大きい周波数領域を求め、この周波数領域から特定周波数を選択すると共に、該特定周波数でのめっき促進剤の濃度と位相差との関係を求めておき、
使用するめっき液の前記特定周波数での交流インピーダンスを測定してその位相差を求め、該位相差が位相差許容範囲に保持されるように、めっき促進剤の補給量を制御することを特徴とする湿式めっき方法。
【請求項２】
前記位相差許容範囲内で、めっき促進剤の補給開始条件となる位相差管理基準値を設定しておき、使用するめっき液の前記特定周波数での交流インピーダンスを測定して求めた位相差値が、使用するめっき液におけるめっき促進剤の濃度の低下に伴い、前記位相差管理基準値に到達するか、または、前記位相差管理基準値よりも低濃度に対応する位相差値側に外れたときに、前記めっき促進剤を所定量補給する請求項１記載の湿式めっき方法。
【請求項３】
めっき促進剤を含有するめっき液を用いた湿式めっき方法において、
めっき促進剤の濃度を変えた各めっき液を用いて交流インピーダンスを測定して、めっき促進剤の各濃度における位相差−周波数特性図を作成し、
この位相差−周波数特性図から位相差のめっき促進剤の濃度に対する依存性の大きい周波数領域を求め、この周波数領域から特定周波数を選択すると共に、該特定周波数でのめっき促進剤の濃度と位相差との関係を求めておき、
使用するめっき液の前記特定周波数での交流インピーダンスを測定してその位相差を求めるとともに該位相差から上記関係に基づきめっき促進剤の濃度を算出し、該濃度が濃度許容範囲に保持されるように、めっき促進剤の補給量を制御することを特徴とする湿式めっき方法。
【請求項４】
前記濃度許容範囲内で、めっき促進剤の補給開始条件となる濃度管理基準値を設定しておき、使用するめっき液の前記特定周波数での交流インピーダンスを測定して求めた位相差から算出されためっき促進剤の濃度値が、使用するめっき液におけるめっき促進剤の濃度の低下に伴い、前記濃度管理基準値に到達するか、または、前記濃度管理基準値よりも低濃度側に外れたときに、前記めっき促進剤を所定量補給する請求項３記載の湿式めっき方法。
【請求項５】
前記めっき促進剤が、ビス（３−スルホプロピル）ジスルフィドである請求項１ないし４のいずれか１項に記載の湿式めっき方法。
【請求項６】
前記特定周波数を選択するに際し、
めっき促進剤の各濃度における位相差−周波数特性図から位相差のめっき促進剤の濃度に対する依存性の大きい第１の周波数領域を求め、
それと共に、めっき液中に含有される一又は複数のめっき反応抑制剤について、めっき反応抑制剤の濃度または平均分子量を変えた各めっき液を用いて交流インピーダンスを測定して、めっき反応抑制剤の各濃度または各平均分子量における位相差−周波数特性図を作成し、この位相差−周波数特性図から位相差のめっき反応抑制剤の濃度または平均分子量に対する依存性の小さい第２の周波数領域を求め、
めっき促進剤について求めた第１の周波数領域と、めっき反応抑制剤について求めた第２の周波数領域とを比較し、両周波数領域のいずれにも含まれる周波数から、前記特定周波数を選択する請求項１ないし５のいずれか１項に記載の湿式めっき方法。
【請求項７】
めっき促進剤を含有するめっき液を用いた湿式めっき装置において、
使用するめっき液の特定周波数での交流インピーダンスを測定する交流インピーダンス測定手段と、
めっき液中にめっき促進剤を補給する促進剤補給手段と、
前記交流インピーダンス測定手段によって求められた位相差に基づいて、前記促進剤補給手段に作動信号を送り、めっき促進剤を補給させる促進剤補給制御手段とを備え、
前記特定周波数は、めっき促進剤の濃度を変えた各めっき液を用いて交流インピーダンスを測定して、めっき促進剤の各濃度における位相差−周波数特性図を作成し、この位相差−周波数特性図から求められた、位相差のめっき促進剤の濃度に対する依存性の大きい周波数領域から選択されると共に、該特定周波数でのめっき促進剤の濃度と位相差との関係が求められたものであり、
前記補給制御手段は、前記交流インピーダンス測定手段によって求められた位相差に基づいて、該位相差が位相差許容範囲に保持されるように、前記促進剤補給手段にめっき促進剤補給のための作動信号を送るように構成されていることを特徴とする湿式めっき装置。
【請求項８】
前記促進剤補給制御手段は、前記位相差許容範囲内で，めっき促進剤の補給開始条件となる位相差管理基準値が設定されていると共に、前記交流インピーダンス測定手段によって測定された特定周波数における交流インピーダンスに基づく位相差値が、使用するめっき液におけるめっき促進剤の濃度の低下に伴い、前記位相差管理基準値に到達するか，または，前記位相差管理基準値よりも低濃度に対応する位相差値側に外れたときに、前記めっき促進剤を所定量補給するように前記促進剤補給手段に作動信号を送るように構成されている請求項７記載の湿式めっき装置。
【請求項９】
めっき促進剤を含有するめっき液を用いた湿式めっき装置において、
使用するめっき液の特定周波数での交流インピーダンスを測定する交流インピーダンス測定手段と、
めっき液中にめっき促進剤を補給する促進剤補給手段と、
前記交流インピーダンス測定手段によって求められた位相差から算出されためっき促進剤の濃度に基づいて、前記促進剤補給手段に作動信号を送り、めっき促進剤を補給させる促進剤補給制御手段とを備え、
前記特定周波数は、めっき促進剤の濃度を変えた各めっき液を用いて交流インピーダンスを測定して、めっき促進剤の各濃度における位相差−周波数特性図を作成し、この位相差−周波数特性図から求められた、位相差のめっき促進剤の濃度に対する依存性の大きい周波数領域から選択されると共に、該特定周波数でのめっき促進剤の濃度と位相差との関係が求められたものであり、
前記補給制御手段は、前記交流インピーダンス測定手段によって求められた位相差から上記関係に基づき算出されためっき促進剤の濃度に基づいて、該濃度が濃度許容範囲に保持されるように、前記促進剤補給手段にめっき促進剤補給のための作動信号を送るように構成されていることを特徴とする湿式めっき装置。
【請求項１０】
前記促進剤補給制御手段は、前記濃度許容範囲内で、めっき促進剤の補給開始条件となる濃度管理基準値が設定されていると共に、前記交流インピーダンス測定手段によって測定された特定周波数における交流インピーダンスに基づく位相差から算出されためっき促進剤の濃度値が、使用するめっき液におけるめっき促進剤の濃度の低下に伴い、前記濃度管理基準値に到達するか、または、前記濃度管理基準値よりも低濃度側に外れたときに、前記めっき促進剤を所定量補給するように前記促進剤補給手段に作動信号を送るように構成されている請求項９記載の湿式めっき装置。
【請求項１１】
前記めっき促進剤が、ビス（３−スルホプロピル）ジスルフィドである請求項７ないし１０のいずれか１項に記載の湿式めっき装置。
【請求項１２】
前記特定周波数は、
めっき促進剤の各濃度における位相差−周波数特性図から位相差のめっき促進剤の濃度に対する依存性の大きい第１の周波数領域を求め、それと共に、めっき液中に含有される一又は複数のめっき反応抑制剤について、めっき反応抑制剤の濃度または平均分子量を変えた各めっき液を用いて交流インピーダンスを測定して、めっき反応抑制剤の各濃度または各平均分子量における位相差−周波数特性図を作成し、この位相差−周波数特性図から位相差のめっき反応抑制剤の濃度または平均分子量に対する依存性の小さい第２の周波数領域を求め、めっき促進剤について求めた第１の周波数領域と、めっき反応抑制剤について求めた第２の周波数領域とを比較し、両周波数領域のいずれにも含まれる周波数から選択されたものである請求項７ないし１１のいずれか１項に記載の湿式めっき装置。
【発明の詳細な説明】
【技術分野】
【０００１】
本発明は、例えば、ＬＳＩ配線やプリント配線板の、ビアホールやスルーホール等に、めっきを施す際に用いられる、湿式めっき方法及び湿式めっき装置に関する。
【背景技術】
【０００２】
電解めっき等のいわゆる湿式めっきに用いられるめっき液では、その種類や用途により、めっき液中に様々な添加剤が添加されている。
【０００３】
上記湿式めっきは様々な産業分野に利用されているが、例えば、エレクトロニクス分野におけるＬＳＩ配線やプリント配線板の、ビアホールやスルーホールには、電解Ｃｕめっきが施されている。これらＬＳＩ配線やプリント配線板は、近年の高密度化・小型軽量化に伴って、高い製品安定性が望まれている。
【０００４】
特に、上記のビアホールやスルーホールに対する、めっきの均一電着性（対象物のめっき被着面に、めっきを均一に付着させる性能）は製品性能に大きく影響する。このめっきの均一電着性は、めっき液中の添加成分に影響されるものと言われている。
【０００５】
上記の電解Ｃｕめっきにおける添加剤としては、一般的に３種類の有機物が用いられている。すなわち、めっき反応に抑制効果をもたらすポリマー、レベラー、及び、促進効果を持つブライトナーである。
【０００６】
前記ポリマーは、ポリエチレングリコール（ＰＥＧ）などに代表されるポリエチレンエーテル化合物が用いられ、被めっき物表面で単分子層を形成してめっき析出の抑制効果を発揮する。
前記レベラーは、ヤーヌスグリーンＢ（ＪＧＢ）に代表される４級化アミン化合物が用いられ、基板表面に多く吸着することで基板表面のめっき析出を抑制し、穴部に優先的にめっきさせる。
前記ブライトナーは、ビス（３−スルホプロピル）ジスルフィド（ＳＰＳ）に代表されるスルホン基を有する有機硫黄化合物が用いられ、緻密な微結晶を形成することで光沢皮膜が得られる。
【０００７】
上記各添加剤は、各量のバランスによって、めっきの均一電着性に大きく影響を与えるため、めっき液中のそれぞれの濃度を常に把握することが重要である。特に、めっき反応の促進効果を有するブライトナー（めっき促進剤）は、ビアの穴埋めめっきにとって最も重要であり、通常１ｍｇ／Ｌ程度と微量なため正確な管理が必要になる。
添加剤を正確に管理する方法としては、サイクリックボルタンメトリックストリッピング（ＣＶＳ）が一般的に知られている。これは、めっきの析出と剥離を行い、そのときの電気量を測定することで添加剤濃度を算出する方法である。
【０００８】
しかし、実際のめっき管理においては、ＣＶＳ測定で添加剤濃度を管理しても、めっきの均一電着性が低下してしまうという問題があった。すなわち、めっき液中の添加剤の有効成分は、経時的に劣化して、その効果が低減することが知られているが、上記ＣＶＳでは、この劣化した成分も含めて添加剤として測定するために、添加剤を正確に管理することができず、上記問題が生じたものと考えられている。
【０００９】
上記問題を解決するため下記特許文献１には、二つの電気化学セルの一方に銅電極と高速回転電極を浸し、他方に銅電極と低速回転電極を浸し、両回転電極の電位差の経時変化から、銅めっき液の埋めこみ性を判断する電気銅めっき液の分析方法及びそれを用いた電気銅めっき液の分析装置が開示されている。
【００１０】
下記特許文献２には、ＣＶＳ測定をするに際し、所定量の銅金属が析出する電位と析出した銅金属の全量が剥離する電位との間を、著しく低速度で掃引することにより、電解時の電位変動を捉えて、ビアホール内への銅充填能を維持するようにした、電解銅めっき液の管理方法が開示されている。
【００１１】
下記特許文献３には、ブラインドビアホールを電気銅めっきで穴埋めする際に、間隔を隔てて隣接する電極を備える試験片を用いた電気化学的モニターの結果により、促進剤、抑制剤等を含むめっき液の制御（促進剤あるいは抑制剤の補給量の変更による濃度制御）を行う配線基板の製造方法が開示されており、更に電気化学的モニターの手法の１つとして「微小交流信号を印加したときの位相の変化」が例示されている。
【先行技術文献】
【特許文献】
【００１２】
【特許文献１】特開２００５−２２６０８５号公報
【特許文献２】特開２００５−１７１３４７号公報
【特許文献３】特開２００２−３６８３８４号公報
【発明の概要】
【発明が解決しようとする課題】
【００１３】
上記特許文献１では、二つの電気化学セルの両者に、それぞれ銅電極と回転電極を浸す構成とされているので、装置構造が複雑で、更にめっき液の抜き取りも必要となるので、測定に時間と手間がかかるというデメリットが生じる。
【００１４】
また、上記特許文献２においては、電解時の電位変動、つまり、めっき処理時の電位変動を測定しているので、めっき促進剤であるブライトナーだけでなく、めっき液中の他成分や不純物の影響を受けることがあり、ブライトナー成分のみを正確に測定することが困難なことがあった。また、作用電極として白金回転電極が用いられているので、コストが高く、構造も複雑となっている。
【００１５】
更に、上記特許文献３には、電気銅めっき時に行う、電気化学的モニターの手法として、微小交流信号を印加したときの位相の変化や、交流インピーダンス波形等を用いることが記載されているが、これらをどのように処理して、めっき液の制御を行うかについては何ら開示されていない。
【００１６】
したがって、本発明の目的は、比較的簡単な手段で、めっき液中の他成分等に影響されることなく、めっき促進剤の濃度を確実に管理でき、均一なめっきを施すことができる、湿式めっき方法及び湿式めっき装置を提供することにある。
【課題を解決するための手段】
【００１７】
上記目的を達成するため、本発明の湿式めっき方法は、めっき促進剤を含有するめっき液を用いた湿式めっき方法において、
めっき促進剤の濃度を変えた各めっき液を用いて交流インピーダンスを測定して、めっき促進剤の各濃度における位相差−周波数特性図を作成し、
この位相差−周波数特性図から位相差のめっき促進剤の濃度に対する依存性の大きい周波数領域を求め、この周波数領域から特定周波数を選択すると共に、該特定周波数でのめっき促進剤の濃度と位相差との関係を求めておき、
使用するめっき液の前記特定周波数での交流インピーダンスを測定してその位相差を求め、該位相差が位相差許容範囲に保持されるように、めっき促進剤の補給量を制御することを特徴とする（請求項１の発明）。
【００１８】
上記請求項１の発明によれば、めっき促進剤の濃度を変えた各めっき液を用いて交流インピーダンスを測定して、めっき促進剤の各濃度における位相差−周波数特性図（ボード線図）を作成し、この位相差−周波数特性図（ボード線図）から位相差のめっき促進剤の濃度に対する依存性の大きい周波数領域を求め、この周波数領域から特定周波数を選択すると共に、該特定周波数でのめっき促進剤の濃度と位相差との関係を求めておく。このため、使用するめっき液の前記特定周波数での交流インピーダンスを測定してその位相差を求めることにより、この特定周波数での位相差値は、めっき促進剤の濃度に対応する測定量となっているので、この位相差値に基づき該めっき液中のめっき促進剤の濃度を算出することができるとともに、上記位相差値を、めっき促進剤の濃度管理のための制御に用いることができる。したがって、上記位相差許容範囲をめっき促進剤の維持されるべき濃度許容範囲に対応させて設定しておけば、上記位相差が上記位相差許容範囲に保持されるように、めっき促進剤の補給量を制御することにより、めっき液中のめっき促進剤の濃度を維持されるべき濃度許容範囲に維持することが可能となる。
このようにめっき液の特定周波数での交流インピーダンスを測定するという、回転電極が不要の簡単な手段で、めっき液中の他成分等に影響されることなく、めっき促進剤の濃度を管理することが可能となり、ビアホールやスルーホールの均一なめっきを可能にすることができる。
更に、交流インピーダンス測定用の電極をめっき液に浸漬させるだけでよく、めっき液をめっき槽外に取り出す必要がないので、その場測定が可能となり、その結果、めっき促進剤の濃度管理を容易に行うことができる。
【００１９】
そして、上記請求項１の発明においては、前記位相差許容範囲内で，めっき促進剤の補給開始条件となる位相差管理基準値を設定しておき、使用するめっき液の前記特定周波数での交流インピーダンスを測定して求めた位相差値が、使用するめっき液におけるめっき促進剤の濃度の低下に伴い、前記位相差管理基準値に到達するか，または，前記位相差管理基準値よりも低濃度に対応する位相差値側に外れたときに、前記めっき促進剤を所定量補給することが好ましい（請求項２の発明）。これによれば、例えばめっき促進剤の濃度が高いほど、前記特定周波数での位相差が小さくなる（０に近づき、ずれが小さくなる）というような、特定周波数での位相差とめっき促進剤の濃度との関係に基づき、めっき処理の進行に伴いめっき促進剤の濃度が低下し、上記位相差値が前記位相差管理基準値に到達するか、または、前記位相差管理基準値よりも低濃度に対応する位相差値側に外れたときにめっき促進剤を所定量補給することにより、めっき促進剤の濃度を維持されるべき濃度許容範囲に維持することができる。
【００２０】
また、本発明の湿式めっき方法は、めっき促進剤を含有するめっき液を用いた湿式めっき方法において、
めっき促進剤の濃度を変えた各めっき液を用いて交流インピーダンスを測定して、めっき促進剤の各濃度における位相差−周波数特性図を作成し、
この位相差−周波数特性図から位相差のめっき促進剤の濃度に対する依存性の大きい周波数領域を求め、この周波数領域から特定周波数を選択すると共に、該特定周波数でのめっき促進剤の濃度と位相差との関係を求めておき、
使用するめっき液の前記特定周波数での交流インピーダンスを測定してその位相差を求めるとともに該位相差から上記関係に基づきめっき促進剤の濃度を算出し、該濃度が濃度許容範囲に保持されるように、めっき促進剤の補給量を制御するようにすることもできる（請求項３の発明）。
【００２１】
上記請求項１の発明は、めっき促進剤の補給制御のための測定量として，上記特定周波数での位相差を用いるものであるが、これに対して、上記請求項３の発明は、めっき促進剤の補給制御のための測定量として，特定周波数での位相差から算出されためっき促進剤の濃度を用い、該濃度が濃度許容範囲に保持されるようにめっき促進剤の補給制御を行うものである。
【００２２】
そして、上記請求項３の発明においては、前記濃度許容範囲内で，めっき促進剤の補給開始条件となる濃度管理基準値を設定しておき、使用するめっき液の前記特定周波数での交流インピーダンスを測定して求めた位相差から算出されためっき促進剤の濃度値が、使用するめっき液におけるめっき促進剤の濃度の低下に伴い、前記濃度管理基準値に到達するか、または、前記濃度管理基準値よりも低濃度側に外れたときに、前記めっき促進剤を所定量補給することが好ましい（請求項４の発明）。上記請求項２の発明は、めっき促進剤の補給制御のための測定量として、上記特定周波数での位相差を用いるとともに、位相差許容範囲内で、めっき促進剤の補給開始条件となる位相差管理基準値を設定して、めっき促進剤の補給制御を行うものであるが、これに対して、上記請求項４の発明は、めっき促進剤の補給制御のための測定量として、特定周波数での位相差から算出されためっき促進剤の濃度を用いるとともに、濃度許容範囲内で、めっき促進剤の補給開始条件となる濃度管理基準値を設定して、めっき促進剤の補給制御を行うものである。
【００２３】
そして、請求項１ないし４のいずれか１項の発明においては、前記めっき促進剤が、ビス（３−スルホプロピル）ジスルフィドであることが好ましい（請求項５の発明）。これによれば、めっき促進剤としてビス（３−スルホプロピル）ジスルフィドを用いると、本発明の方法によって、特に精度よく濃度を維持することができる。
【００２４】
そして、上記請求項１ないし５のいずれか１項の発明においては、前記特定周波数を選択するに際し、めっき促進剤の各濃度における位相差−周波数特性図から位相差のめっき促進剤の濃度に対する依存性の大きい第１の周波数領域を求め、それと共に、めっき液中に含有される一又は複数のめっき反応抑制剤について，めっき反応抑制剤の濃度または平均分子量を変えた各めっき液を用いて交流インピーダンスを測定して、めっき反応抑制剤の各濃度または各平均分子量における位相差−周波数特性図を作成し、この位相差−周波数特性図から位相差のめっき反応抑制剤の濃度または平均分子量に対する依存性の小さい第２の周波数領域を求め、めっき促進剤について求めた第１の周波数領域と、めっき反応抑制剤について求めた第２の周波数領域とを比較し、両周波数領域のいずれにも含まれる周波数から、前記特定周波数を選択することが好ましい(請求項６の発明)。これによれば、位相差のめっき促進剤の濃度に対する依存性が大きく、かつ、めっき液中の他の添加成分の影響を受けないでめっき促進剤のみを選択的に測定できる特定周波数を確実に求めることができる。
【００２５】
一方、本発明の湿式めっき装置は、めっき促進剤を含有するめっき液を用いた湿式めっき装置において、
使用するめっき液の特定周波数での交流インピーダンスを測定する交流インピーダンス測定手段と、
めっき液中にめっき促進剤を補給する促進剤補給手段と、
前記交流インピーダンス測定手段によって求められた位相差に基づいて、前記促進剤補給手段に作動信号を送り、めっき促進剤を補給させる促進剤補給制御手段とを備え、
前記特定周波数は、めっき促進剤の濃度を変えた各めっき液を用いて交流インピーダンスを測定して、めっき促進剤の各濃度における位相差−周波数特性図を作成し、この位相差−周波数特性図から求められた、位相差のめっき促進剤の濃度に対する依存性の大きい周波数領域から選択されると共に、該特定周波数でのめっき促進剤の濃度と位相差との関係が求められたものであり、
前記補給制御手段は、前記交流インピーダンス測定手段によって求められた位相差に基づいて、該位相差が位相差許容範囲に保持されるように、前記促進剤補給手段にめっき促進剤補給のための作動信号を送るように構成されていることを特徴とする（請求項７の発明）。
【００２６】
上記請求項７の発明によれば、使用するめっき液について、前記位相差−周波数特性図（ボード線図）から求められた位相差のめっき促進剤の濃度に対する依存性の大きい周波数領域から選択された特定周波数における交流インピーダンスを、交流インピーダンス測定手段によって測定し、その位相差を求める。また、該特定周波数でのめっき促進剤の濃度と位相差との関係が求められている。このため、使用するめっき液について求められた前記特定周波数での位相差値は、めっき促進剤の濃度に対応する測定量となっているので、この位相差値に基づき該めっき液中のめっき促進剤の濃度を算出することができるとともに、上記位相差値を、めっき促進剤の濃度管理のための制御に用いることができる。したがって、上記位相差許容範囲をめっき促進剤の維持されるべき濃度許容範囲に対応させて設定しておけば、促進剤補給制御手段により、上記位相差に基づいて、該位相差が上記位相差許容範囲に保持されるように、促進剤補給手段にめっき促進剤補給のための作動信号を送ることにより、めっき液中のめっき促進剤の濃度を維持されるべき濃度許容範囲に維持することが可能となる。
このようにめっき液の特定周波数での交流インピーダンスを測定するという、回転電極が不要の簡単な手段で、めっき液中の他成分等に影響されることなく、めっき促進剤の濃度を管理することが可能となり、ビアホールやスルーホールの均一なめっきを可能にすることができる。
更に、交流インピーダンス測定用の電極をめっき液に浸漬させるだけでよく、めっき液をめっき槽外に取り出す必要がないので、その場測定が可能となり、その結果、めっき促進剤の濃度管理を容易に行うことができる。
【００２７】
そして、上記請求項７の発明においては、前記促進剤補給制御手段は、前記位相差許容範囲内で，めっき促進剤の補給開始条件となる位相差管理基準値が設定されていると共に、前記交流インピーダンス測定手段によって測定された特定周波数における交流インピーダンスに基づく位相差値が、使用するめっき液におけるめっき促進剤の濃度の低下に伴い、前記位相差管理基準値に到達するか，または，前記位相差管理基準値よりも低濃度に対応する位相差値側に外れたときに、前記めっき促進剤を所定量補給するように前記促進剤補給手段に作動信号を送るように構成されていることが好ましい（請求項８の発明）。これによれば、例えばめっき促進剤の濃度が高いほど、前記特定周波数での位相差が小さくなる（０に近づき、ずれが小さくなる）というような、特定周波数での位相差とめっき促進剤の濃度との関係に基づき、めっき処理の進行に伴いめっき促進剤の濃度が低下し、上記位相差値が前記位相差管理基準値に到達するか、または、前記位相差管理基準値よりも低濃度に対応する位相差値側に外れたときにめっき促進剤を所定量補給することにより、めっき促進剤の濃度を維持されるべき濃度許容範囲に維持することができる。
【００２８】
また、本発明の湿式めっき装置は、めっき促進剤を含有するめっき液を用いた湿式めっき装置において、
使用するめっき液の特定周波数での交流インピーダンスを測定する交流インピーダンス測定手段と、
めっき液中にめっき促進剤を補給する促進剤補給手段と、
前記交流インピーダンス測定手段によって求められた位相差から算出されためっき促進剤の濃度に基づいて、前記促進剤補給手段に作動信号を送り、めっき促進剤を補給させる促進剤補給制御手段とを備え、
前記特定周波数は、めっき促進剤の濃度を変えた各めっき液を用いて交流インピーダンスを測定して、めっき促進剤の各濃度における位相差−周波数特性図を作成し、この位相差−周波数特性図から求められた、位相差のめっき促進剤の濃度に対する依存性の大きい周波数領域から選択されると共に、該特定周波数でのめっき促進剤の濃度と位相差との関係が求められたものであり、
前記補給制御手段は、前記交流インピーダンス測定手段によって求められた位相差から上記関係に基づき算出されためっき促進剤の濃度に基づいて、該濃度が濃度許容範囲に保持されるように、前記促進剤補給手段にめっき促進剤補給のための作動信号を送るように構成されているようにすることもできる（請求項９の発明）。
【００２９】
上記請求項７の発明は、めっき促進剤の補給制御のための測定量として，上記特定周波数での位相差を用いるものであるが、これに対して、上記請求項９の発明は、めっき促進剤の補給制御のための測定量として、特定周波数での位相差から算出されためっき促進剤の濃度を用い、該濃度が濃度許容範囲に保持されるようにめっき促進剤の補給制御を行うものである。
【００３０】
そして、上記請求項９の発明においては、前記促進剤補給制御手段は、前記濃度許容範囲内で，めっき促進剤の補給開始条件となる濃度管理基準値が設定されていると共に、前記交流インピーダンス測定手段によって測定された特定周波数における交流インピーダンスに基づく位相差から算出されためっき促進剤の濃度値が、使用するめっき液におけるめっき促進剤の濃度の低下に伴い、前記濃度管理基準値に到達するか、または、前記濃度管理基準値よりも低濃度側に外れたときに、前記めっき促進剤を所定量補給するように前記促進剤補給手段に作動信号を送ることが好ましい（請求項１０の発明）。上記請求項８の発明は、めっき促進剤の補給制御のための測定量として，上記特定周波数での位相差を用いるとともに、位相差許容範囲内で、めっき促進剤の補給開始条件となる位相差管理基準値を設定して、めっき促進剤の補給制御を行うものであるが、これに対して、上記請求項１０の発明は、めっき促進剤の補給制御のための測定量として，特定周波数での位相差から算出されためっき促進剤の濃度を用いるとともに、濃度許容範囲内で，めっき促進剤の補給開始条件となる濃度管理基準値を設定して、めっき促進剤の補給制御を行うものである。
【００３１】
そして、上記請求項７ないし１０のいずれか１項の発明においては、前記めっき促進剤が、ビス（３−スルホプロピル）ジスルフィドであることが好ましい（請求項１１の発明）。これによれば、めっき促進剤としてビス（３−スルホプロピル）ジスルフィドを用いると、本発明の装置によって、特に精度よく濃度を維持することができる。
【００３２】
そして、上記請求項７ないし１１のいずれか１項の発明においては、前記特定周波数は、めっき促進剤の各濃度における位相差−周波数特性図から位相差のめっき促進剤の濃度に対する依存性の大きい第１の周波数領域を求め、それと共に、めっき液中に含有される一又は複数のめっき反応抑制剤について，めっき反応抑制剤の濃度または平均分子量を変えた各めっき液を用いて交流インピーダンスを測定して，めっき反応抑制剤の各濃度または各平均分子量における位相差−周波数特性図を作成し，この位相差−周波数特性図から位相差のめっき反応抑制剤の濃度または平均分子量に対する依存性の小さい第２の周波数領域を求め、めっき促進剤について求めた第１の周波数領域と，めっき反応抑制剤について求めた第２の周波数領域とを比較し、両周波数領域のいずれにも含まれる周波数から選択されたものであることが好ましい（請求項１２の発明）。これによれば、位相差のめっき促進剤の濃度に対する依存性が大きく、かつ、めっき液中の他の添加成分の影響を受けないでめっき促進剤のみを選択的に測定できる特定周波数を確実に求めることができる。
【発明の効果】
【００３３】
本発明によれば、めっき促進剤の濃度を変えた各めっき液を用いて交流インピーダンスを測定して、めっき促進剤の各濃度における位相差−周波数特性図（ボード線図）を作成し、この位相差−周波数特性図（ボード線図）から位相差のめっき促進剤の濃度に対する依存性の大きい周波数領域を求め、この周波数領域から特定周波数を選択すると共に、該特定周波数でのめっき促進剤の濃度と位相差との関係を求めておくことにより、使用するめっき液の前記特定周波数での交流インピーダンスを測定してその位相差を求めるだけで、この特定周波数での位相差値は、めっき促進剤の濃度に対応する測定量となっているので、この位相差値に基づき該めっき液中のめっき促進剤の濃度を算出することができるとともに、上記位相差値を、めっき促進剤の濃度管理のための制御に用いることができる。したがって、めっき促進剤の維持されるべき濃度許容範囲に対応して位相差許容範囲を設定しておき、上記位相差が上記位相差許容範囲に保持されるように、めっき促進剤の補給量を制御することにより、めっき液中のめっき促進剤の濃度を維持されるべき濃度許容範囲に維持することが可能となる。
また、本発明によれば、めっき促進剤の補給量制御のための測定量として，上記特定周波数での位相差の代わりに，特定周波数での位相差から算出されためっき促進剤の濃度を用いるようにすることもでき、これによっても、めっき液中のめっき促進剤の濃度を維持されるべき濃度許容範囲に維持することができる。
【００３４】
このようにめっき液の特定周波数での交流インピーダンスを測定するという簡単な手段で、めっき液中の他成分等に影響されることなく、めっき促進剤の濃度を管理することが可能となり、ビアホールやスルーホールの均一なめっきを可能にすることができる。
【図面の簡単な説明】
【００３５】
【図１】本発明の湿式めっき装置の一実施形態を示す概略構成図である。
【図２】めっき液中に添加されためっき促進剤の、各濃度における位相差−周波数特性図（ボード線図）を示す図表である。
【図３】特定周波数での、めっき促進剤濃度と位相差との相関を示す図表である。
【図４】めっき液中に添加されるＰＥＧの影響を検討するためのもので、（ａ）は各分子量におけるＰＥＧの、電析量に対する濃度の関係を示す図表で、（ｂ）はＰＥＧの各劣化状態における位相差−周波数特性図（ボード線図）を示す図表である。
【図５】めっき液中に添加されるＪＧＢの影響を検討するためのもので、（ａ）は各電流密度におけるＪＧＢの、電析量に対する濃度の関係を示す図表で、（ｂ）ＪＧＢの各劣化状態における位相差−周波数特性図（ボード線図）を示す図表である。
【図６】（ａ）は、めっき液中の各添加剤について、めっき液の処理時間に対する電極の電位変動を示す図表で、（ｂ）は各電流密度におけるＳＰＳ（めっき促進剤）の、電析量に対する濃度の関係を示す図表である。
【図７】めっき準備工程を示すフローチャートである。
【図８】量産めっき工程を示すフローチャートである。
【図９】めっき処理量と位相差との関係を示す図表である。
【発明を実施するための形態】
【００３６】
めっき処理に用いられるめっき液は、主に硫酸銅五水和物、硫酸、塩化物イオン（ＨＣｌ）からなり、更に添加剤として、めっき反応の抑制効果を有するめっき反応抑制剤（ポリマー、レベラー）、めっきの促進効果を有するめっき促進剤（ブライトナー）が含有されている。前記ポリマーとしては、ポリエチレングリコール（以下、「ＰＥＧ」）、前記レベラーとしては、ヤーヌスグリーンＢ（以下、「ＪＧＢ」）、前記めっき促進剤としては、ビス（３−スルホプロピル）ジスルフィド（以下、「ＳＰＳ」）が、一般的に用いられる。
【００３７】
本発明の湿式めっき方法及び湿式めっき装置は、めっき液の添加剤の一つである、めっき促進剤の濃度管理を確実に行うことを目的としている。この実施形態では、めっき促進剤として上記ＳＰＳを用いているが、このＳＰＳと同様の化学構造を有する有機硫黄化合物、例えば、２−メルカプトベンゾチアゾールＳプロパンスルホン酸なども、好適に用いることができる。
【００３８】
［湿式めっき装置の構造］
以下、本発明における湿式めっき装置について説明する。
図１には、本発明の湿式めっき装置１（以下、「めっき装置１」）の概略構成図が示されている。同図１に示すように、めっき装置１は、所定量のめっき液が貯留されためっき槽３と、めっき液中に浸漬されたアノード４とを有し、更にプリント配線板等の被めっき物５（カソード）がめっき液中に浸漬され、該被めっき物５及び前記アノード４が直流電源６に接続されている。そして、直流電源６により電圧が印加されると、被めっき物５にめっきが施されるようになっている。
【００３９】
更にめっき装置１には、使用するめっき液の特定周波数での交流インピーダンス測定手段１０（以下、「測定手段１０」）と、めっき液中にめっき促進剤を補給する促進剤補給手段２０（以下、「補給手段２０」）と、前記測定手段１０によって求められた位相差に基づいて、前記補給手段２０に作動信号を送り、めっき促進剤を補給させる促進剤補給制御手段３０（以下、「制御手段３０」）とを備えている。
【００４０】
前記測定手段１０は、めっき液に浸漬された第１電極（作用電極）１１（この実施形態ではＣｕ電極）,第２電極（参照電極）１２（同Ａｇ｜ＡｇＣｌ電極）,第３電極（補助電極）１３（同Ｐｔ電極）と、これらの電極１１,１２,１３にそれぞれ接続されたインピーダンスアナライザ１５（以下、「アナライザ１５」）と、該アナライザ１５に交流電圧を供給する交流電源１６と、前記アナライザ１５を制御するための制御端末１７とを備えている。
【００４１】
そして、交流電源１６によりめっき液に交流電圧が印加されると、めっき液の交流インピーダンスの経時的変化が、各電極１１,１２,１３を介してアナライザ１５によって測定される（交流インピーダンス測定）。
【００４２】
この交流インピーダンス測定は、セル（作用電極、補助電極からなる）に交流信号を印加すると、応答電流と電圧の位相にずれが生じ、その位相差を測定することにより、セルのインピーダンス（交流における抵抗）を測定するものである。交流インピーダンスは、物性等に影響されることが知られており、この交流インピーダンスを測定することにより、状態の変化が分かるようになっている。
【００４３】
そして、上記交流インピーダンス測定により得られた位相差が、前記アナライザ１５により内部的に処理され、図２に示すような、横軸を周波数（Ｈｚ：対数目盛）、縦軸を位相差（ｒａｄ）とした、いわゆるボード線図（Ｂｏｄｅ線図）が作成される。なお、一般には、ゲインの対数値および位相角をそれぞれ、周波数（角周波数）の対数値を横軸にとって描いたゲイン曲線図および位相曲線図が合わせてボード線図と称される。以下では、図２に示すようなボード線図（位相曲線図）を「位相差−周波数特性図」とも称する。
【００４４】
本発明では、めっき促進剤の濃度を変えた各めっき液が、それぞれ交流インピーダンス測定されるようになっている。この実施形態では、めっき促進剤を０ｍｇ／Ｌ、０．２５ｍｇ／Ｌ、０．５ｍｇ／Ｌ、０．７５ｍｇ／Ｌ、１．０ｍｇ／Ｌの５種類の濃度としためっき液に対して、交流インピーダンス測定がなされる。
【００４５】
図２は、めっき促進剤がＳＰＳである場合について各ＳＰＳ濃度における位相差−周波数特性図（ボード線図）を示すものである。図２に示すように、位相差とめっき促進剤の濃度との相関関係は、ほとんどの周波数範囲で明確ではないが、ある周波数領域では、位相差とめっき促進剤の濃度との相関関係が明確となる。そして、この実施形態では、図２に示すように、位相差とめっき促進剤（ＳＰＳ）の濃度との相関関係が明確である周波数領域から、例えば３０Ｈｚを特定周波数として選択することができる。この特定周波数（３０Ｈｚ）での、めっき促進剤（ＳＰＳ）濃度（ｍｇ／Ｌ：横軸）と、位相差（ｒａｄ：縦軸）との関係を図３に示す。この実施形態では、めっき促進剤（ＳＰＳ）の濃度が高くなるにつれて、一定の割合で位相差が小さくなっている（０に近づき、ずれが小さくなる）。
【００４６】
このように、測定手段１０においては、めっき促進剤の濃度と位相差との間に特定の相関関係を生じさせるような周波数領域であって、位相差のめっき促進剤の濃度に対する依存性の大きい周波数領域を求め、この周波数領域から、使用するめっき液の交流インピーダンス測定で用いる特定周波数を選択できるようにする役割を果たすようになっている。なお、上記の「位相差のめっき促進剤の濃度に対する依存性の高い周波数領域」としては、めっき促進剤の濃度によって位相差に比較的大きな差が生じていて、しかも、位相差とめっき促進剤の濃度との間に、濃度値に対応する位相差値が一義的に求められる関係の有るような周波数領域が求められ、このような周波数領域から前記特定周波数が選択される。
【００４７】
また、前記測定手段１０は、選択された特定周波数における、濃度と位相差との関係を求める役割を果たすと共に、計測された位相差に基づいて、めっき促進剤の濃度を算出するという役割もなしている。
【００４８】
前記補給手段２０は、補給用のめっき促進剤が充填された補給タンク２１と、該補給タンク２１から垂設された補給ノズル２２と、該補給ノズル２２の途中に形成され、制御手段３０により開閉制御される補給コック２３とを有している。
【００４９】
また、前記制御手段３０は、前記測定手段１０のアナライザ１５と、前記補給手段２０の補給コック２３とにそれぞれ接続され、更にめっき促進剤の補給開始条件となる特定の位相差、すなわち、位相差管理基準値が予め記憶されている。この制御手段３０は、測定手段１０から順次送られる特定周波数の位相差の値が、めっき促進剤の濃度の低下に伴い、前記位相差管理基準値に到達するか、または、前記位相差管理基準値よりも低濃度に対応する位相差値側に外れたときに、めっき促進剤の補給開始時期と判断して、前記補給コック２３に補給開始の作動信号を送るようになっている。
【００５０】
[めっき促進剤の濃度依存性の高い特定周波数の特定]
１．他の添加成分の影響を受けないで、めっき促進剤のみを選択的に測定できる理由
上述したように、この実施形態においては、使用するめっき液の交流インピーダンス測定で用いる特定周波数として、３０Ｈｚを特定している。この特定にあたっては、めっき液に含有されるめっき促進剤以外の、他の添加剤の影響も考慮している。すなわち、めっき液には、２つのめっき反応抑制剤（ＰＥＧ、ＪＧＢ）が含有され、これらのめっき反応抑制剤もめっき処理に伴って濃度変化（劣化）するが、本実施形態においては、以下に説明するように、めっき反応抑制剤の影響が極力排除されるようになっている。
【００５１】
まず、ポリエチレングリコール（ＰＥＧ）の影響について検討した。すなわち、ＰＥＧについて、図４（ａ）に示すように、各分子量におけるＰＥＧについて、電析（めっき処理）量に対する濃度を測定した。
【００５２】
その結果、建浴時（めっき前の状態）には、高い分子量（８０００）におけるＰＥＧ濃度が高いが、高い分子量（８０００）におけるＰＥＧ濃度は、電析量２４０Ｃでは急激に下がっており、電析量６００Ｃではほぼ０となっている。一方、低い分子量（４４０、６００、１０００）におけるＰＥＧ濃度は、建浴時には、ほぼ０であるが、電析量６００Ｃでは上がっている。すなわち、めっき処理の進行に伴って、ＰＥＧ分子が分解して低分子化し、ＰＥＧが劣化していくことが分かる。なお、上記のような、めっき処理の進行に伴うＰＥＧの劣化態様は、特定の分子量に着目した場合に当該分子量のＰＥＧの濃度が変化していく現象（すなわち、高い分子量のＰＥＧの濃度が低下していき、低い分子量のＰＥＧの濃度が上昇していく現象）とみなすことができるとともに、ＰＥＧの平均分子量、例えば数平均分子量が低下していく現象とみなすこともできるが、後者の場合、単なる数平均分子量だけでなく、分子量分布の形（パターン）も含めて評価することがより適当と考えられる。
【００５３】
また、ＰＥＧの劣化に対して、交流インピーダンス測定による位相差がどのように変動するかについて検討した。すなわち、図４（ｂ）に示すように、ＰＥＧの各劣化状態において交流インピーダンス測定を行い、各劣化状態での位相差−周波数特性図（ボード線図）（周波数に対する位相差の線図）を作成した。同図には、建浴時（ＰＥＧ濃度：３００ｍｇ／Ｌ）における位相差−周波数特性図、電析量２４０Ｃのめっき処理でＰＥＧが劣化した状態における位相差−周波数特性図、及び電析量６００Ｃのめっき処理でＰＥＧが劣化した状態における位相差−周波数特性図を示しているが、３０Ｈｚ付近においては、めっき処理によるＰＥＧの劣化状態の進行（ＰＥＧの平均分子量の低下）に伴う位相差の変動は見受けられない。
【００５４】
次に、ヤーヌスグリーンＢ（ＪＧＢ）の影響について検討した。図５（ａ）には、ＪＧＢについての、電析（めっき処理）量に対する濃度の関係が示されている。すなわち、各電流密度（Ａ／ｄｍ２）の条件で、ＪＧＢについて、電析量に対する濃度を測定した。なお、図５（ａ）におけるＪＧＢの測定は、他の添加剤成分（ＰＥＧ、ＳＰＳ）が共存する状態においてなされたものである。
【００５５】
その結果、５Ａ／ｄｍ２の電流密度の場合、ＪＧＢは、電析量１２０Ｃでの濃度がほぼ半分（１．０ｍｇ／Ｌ）となり、電析量２４０Ｃでの濃度がほぼ０となっている。その他の電流密度の場合も、電析量の増加に伴って、ＪＧＢ濃度が低下している。このように、めっき処理の進行に伴ってＪＧＢが分解し、ＪＧＢの濃度が低下（劣化）していくことが分かる。
【００５６】
また、ＪＧＢの劣化に対して、交流インピーダンス測定による位相差がどのように変動するかについて検討した。すなわち、図５（ｂ）に示すように、ＪＧＢの各劣化状態において交流インピーダンス測定を行い、各劣化状態での位相差−周波数特性図（ボード線図）（周波数に対する位相差の線図）を作成した。同図には、建浴時（ＪＧＢ濃度：２．０ｍｇ／Ｌ）における位相差−周波数特性図、電析量１２０Ｃのめっき処理でＪＧＢが劣化した状態（ＪＧＢ濃度：１．０ｍｇ／Ｌ）における位相差−周波数特性図、及び電析量２４０Ｃのめっき処理でＪＧＢが劣化した状態（ＪＧＢ濃度：０．０ｍｇ／Ｌ）における位相差−周波数特性図を示しているが、図４（ｂ）に示すＰＥＧの各劣化状態における位相差−周波数特性図と同様に、３０Ｈｚ付近においては、めっき処理によるＪＧＢの劣化状態の進行（ＪＧＢの濃度の低下）に伴う位相差の変動は見受けられない。
【００５７】
なお、図５（ｂ）において、めっき促進剤（ＳＰＳ）が共存しているにも係わらず、３０Ｈｚ付近での位相差変化がないことは、次のように推察される。すなわち、めっき促進剤（ＳＰＳ）の分解速度（消費速度：同じ電析量に対する分解量）は、ＪＧＢの分解速度よりも小さいため、ＪＧＢの急激な分解をもたらす程度のめっき処理（電析量２４０Ｃ）では、めっき促進剤（ＳＰＳ）の分解の程度が小さく、位相差変化として現れないものと考えられる。
【００５８】
以上のように、めっき液中のＰＥＧ及びＪＧＢのそれぞれについて、図４（ｂ）および図５（ｂ）のように、各劣化状態における交流インピーダンス測定結果に基づく位相差−周波数特性図（ボード線図）を作成し、めっき促進剤（ＳＰＳ）に対応する特定周波数（３０Ｈｚ）では、めっき処理によるＰＥＧ及びＪＧＢの劣化（分解）の進行に伴う位相差の変動が現れないことを確認した。その結果、めっき促進剤（ＳＰＳ）の濃度依存性の高い特定周波数（３０Ｈｚ）では、共存するＰＥＧ、ＪＧＢの分解の影響を受けないで、ＳＰＳの濃度変化（分解）のみに対応した位相差変化が現れると考えられ、めっき促進剤（ＳＰＳ）が添加されためっき液の交流インピーダンスの測定において、他の添加剤成分（ＰＥＧ，ＪＧＢ）の濃度または平均分子量の変化（分解）の影響を極力排除することができるようになっている。
【００５９】
このように、この実施形態では、
使用するめっき液に対する交流インピーダンス測定で用いられる上記特定周波数を選択するに際し、
めっき促進剤の各濃度における位相差−周波数特性図（ボード線図）から、位相差のめっき促進剤の濃度に対する依存性の大きい周波数領域（第１の周波数領域）を求め、
それと共に、めっき液中に含有される一又は複数のめっき反応抑制剤について、めっき反応抑制剤の濃度または平均分子量を変えた各めっき液を用いて交流インピーダンスを測定して、めっき反応抑制剤の各濃度または各平均分子量における位相差−周波数特性図（ボード線図）を作成し、この位相差−周波数特性図（ボード線図）から位相差のめっき反応抑制剤の濃度または平均分子量に対する依存性の小さい周波数領域（第２の周波数領域）を求め、
めっき促進剤について求めた周波数領域（第１の周波数領域）と、めっき反応抑制剤について求めた周波数領域（第２の周波数領域）とを比較し、両周波数領域のいずれにも含まれる周波数から，前記特定周波数を選択するように構成されている。
【００６０】
その結果、位相差のめっき促進剤の濃度に対する依存性が大きく、かつ、めっき液中の他の添加成分の影響を受けないで、めっき促進剤のみを選択的に測定できる特定周波数を確実に求めることが可能となっている。
【００６１】
そして、上記特定周波数を選択するために、上述のように、めっき反応抑制剤の濃度または平均分子量を変えた各めっき液を用いて交流インピーダンスを測定する場合、めっき反応抑制剤の濃度または平均分子量を変えた各めっき液のサンプルとしては、上記の図４および図５で説明したように、めっき処理に伴う劣化によりめっき反応抑制剤の濃度または平均分子量が変化した各劣化状態のめっき液を用いるようにしてもよく、また、建浴時のめっき液として各濃度または各平均分子量のめっき反応抑制剤を添加しためっき液を用いるようにしてもよい。なお、特に、めっき反応抑制剤の平均分子量を変えた各めっき液を用いて交流インピーダンスを測定する場合には、前者のように実際のめっき処理による各劣化状態のめっき液を用いるようにした方が、分子量分布の形（パターン）の変化も実際の劣化態様に合わせることができるので、より好適と考えられる。
【００６２】
２．めっき促進剤の劣化している成分を除外して測定できる理由
めっき促進剤も、めっき処理に伴って分解されて成分が劣化して、濃度が低下する。このとき、めっき促進剤の劣化した成分が、交流インピーダンス測定から作成される位相差−周波数特性図（ボード線図）に影響を及ぼすことが懸念される。しかし、以下の理由によりその影響は少ない。
【００６３】
すなわち、めっき液中の各添加剤について、めっき処理（電析）に伴う分解（低分子化）挙動を検討した。すなわち、めっき液の処理時間（ｓｅｃ）に対する、Ａｇ｜ＡｇＣｌ電極の電位（Ｖ）の変動について測定した（図６（ａ）参照）。なお、電流密度は、３Ａ／ｄｍ２となっている。
【００６４】
図中、Ａは基本浴（ＰＥＧ、ＪＧＢ、ＳＰＳが添加されていないめっき液）の変動線、ＢはＰＥＧが添加されためっき液の変動線、ＣはＪＧＢが添加されためっき液の変動線、ＤはＳＰＳ（めっき促進剤）が添加されためっき液の変動線、ＥはＰＥＧ及びＪＧＢが添加されためっき液の変動線、ＦはＰＥＧ及びＳＰＳが添加されためっき液の変動線、ＧはＰＥＧ、ＪＧＢ、及びＳＰＳが添加されためっき液の変動線を示す。
【００６５】
また、図６（ｂ）には、図６（ａ）に示されるめっき処理（電析）工程において、所定電析量の時点で採取されためっき液サンプルについて液体クロマトグラフィーによる定量分析を行い、ＳＰＳ濃度の変動を測定した結果が示されている。なお、図６（ｂ）には、図６（ａ）の電流密度３Ａ／ｄｍ２に対応した変動線の他、電流密度１Ａ／ｄｍ２、電流密度５Ａ／ｄｍ２に対応した変動線も併記されている。
【００６６】
その結果、めっき液中の各添加剤は、次のような分解（低分子化）挙動が現れていることが分かった。前述の各分子量におけるＰＥＧの電析量に対する濃度変動（すなわち電析量に対する平均分子量の変動）（図４（ａ）参照）、及び、ＪＧＢの電析量に対する濃度変動（図５（ａ）参照）も併せて説明する。
【００６７】
（ア）ＰＥＧは徐々に分解する（図６（ａ）中、Ｂの変動線参照）。図４（ａ）からもその傾向が認められる。
（イ）ＪＧＢは急激に分解する。すなわち、ＪＧＢの濃度は、ＰＥＧの場合よりも大幅に少ない電析量で急低下している（図５（ａ）参照）。図６（ａ）中、Ｃの変動線には、処理時間５００〜７５０ｓｅｃ前後の部分で、ＪＧＢの急激な分解に起因する急な電位変動が現れている（図中、円で囲った部分）。
（ウ）ＳＰＳ（めっき促進剤）は徐々に消費される。図６（ａ）中、Ｄの変動線に示すように、ＳＰＳによる顕著な電位変動は認められない。
【００６８】
なお、図６（ｂ）において、電析開始の初期段階（「１Ａ／ｄｍ２，３Ａ／ｄｍ２」で約５０Ｃ程度、「５Ａ／ｄｍ２」では１２０Ｃ）において、ＳＰＳ濃度が一度急激に低下した後、ほぼ元の濃度レベルに急激に復帰するように変動している。上記ＳＰＳ濃度低下時には、ＳＰＳの補充は行っていない。
【００６９】
上記の初期濃度変動の原因は、電析の初期段階で、電極にＳＰＳが吸着されることにより、めっき液中でのＳＰＳ濃度が低下するとともに、その後、電析の進行に伴って、電極に吸着されていたＳＰＳがめっき液中に戻り、ＳＰＳ濃度が復帰するものと推察される。
【００７０】
すなわち、上記の初期濃度変動を除けば、めっき促進剤であるＳＰＳは、めっき処理（電析）の進行に伴って、徐々に消費されていく挙動を示している。
【００７１】
また、液体クロマトグラフィーによる分析におけるピークとしては、ＳＰＳのピークしか見つかっておらず、ＳＰＳの分解による成分は検出されていない。
【００７２】
以上のように、ＳＰＳの分解挙動が徐々に消費されるものであると共に、分解による成分は検出されないことが確認された。すなわち、めっき液中のめっき添加剤（ＳＰＳ）は、めっき処理に伴って、その濃度が低下していくものの、上記の初期濃度変動が起きる初期工程以外は、その濃度変動（濃度低下の時間的勾配）がほぼ一定であり、十分に予測可能なものとなっている。
【００７３】
したがって、交流インピーダンス測定結果から位相差−周波数特性図（ボード線図）を作成して、位相差のめっき促進剤の濃度に対する依存性の大きい周波数領域を求め、この周波数領域から、使用するめっき液の交流インピーダンス測定で用いる特定周波数を選択する際に、めっき促進剤自体の劣化による測定への影響を考慮する必要はなく、位相差のめっき促進剤の濃度に対する依存性が大きいことを第１の選択条件として特定周波数を選択することができるので、めっき液中のめっき促進剤の濃度管理の精度を高いものとすることができる。
【００７４】
［湿式めっき装置によるめっき工程］
次に、上記構造のめっき装置１によるめっき工程について説明する。このめっき工程では、めっき促進剤を補給するための判断基準を策定する、めっき準備工程と、実際に被めっき物５にめっき処理を施していく、量産めっき工程との２つの工程を有している。
【００７５】
まず、めっき準備工程について、図７のフローチャートを参照して説明する。この工程でのめっき液は、下記表１に示す成分となっている。
【００７６】
【表１】
2010229454.tif 000003
【００７７】
すなわち、交流電源１６によりめっき液に交流電圧を印加して、測定手段１０によりインピーダンス測定を開始すると、めっき液の交流インピーダンスが、各電極１１,１２,１３を介してアナライザ１５によって測定され、各濃度（めっき液に対して、めっき促進剤が０,０．２５,０．５,０．７５,１．０ｍｇ／Ｌの濃度）における位相差−周波数特性図（ボード線図）がそれぞれ作成される（ステップＳ１）。次いで、位相差のめっき促進剤の濃度に対する依存性が高い周波数領域が求められ、この周波数領域から特定周波数が選択されると共に、選択された特定周波数における、濃度と位相差との関係が求められる（ステップＳ２）。
【００７８】
上記工程と並行して又は上記工程に先だって、めっき液に対してめっき促進剤をどの程度添加すれば、被めっき物５に対して目的の仕様のめっきが施されるかを確認して、濃度管理基準値を設定する工程、すなわち、目的の仕様のめっきを施すために必要なめっき促進剤の濃度値（濃度下限値）を特定し、めっき促進剤の補給開始条件の基準となる濃度の管理基準値（濃度管理基準値）を設定する工程が行われる。めっき仕様としては、ＬＳＩ配線やプリント配線板などの被めっき物５におけるビアホールやスルーホール等の孔に対するめっきの均一電着性（スローイングパワー）が、目的の仕様のめっきを施すために必要なめっき促進剤の濃度値（濃度下限値）を特定するための主要な評価項目となる。そして、上記の均一電着性（スローイングパワー）は、（孔内部のめっき厚さ）／（被めっき物（における孔部以外）の表面のめっき厚さ）×１００（％）で表すことができ、被めっき物の表面と孔内部とのめっき厚さが均一のときスローイングパワーは１００％となる。なお、均一電着性だけでなく、めっき品質に係わる他の評価項目も評価することにより、目的の仕様のめっきを施すために維持されるべきめっき促進剤の濃度許容範囲として上記の濃度下限値に加えて濃度上限値も設定し、この濃度上限値を考慮して、めっき促進剤の補給量を適正に設定するようにすることが好ましい。
【００７９】
また、めっき処理の進行に伴うめっき促進剤（ＳＰＳ）の濃度低下は緩やかであることから、めっき仕様（均一電着性等）の評価に基づいて特定された濃度下限値を、そのまま、めっき促進剤の補給開始条件の基準となる濃度管理基準値としてもよいが、測定系の誤差やめっき促進剤補給操作の遅れなども考慮し、上記濃度下限値に所定の余裕分を加えた濃度値を濃度管理基準値として設定することが、めっき液におけるめっき促進剤の濃度をより確実に濃度許容範囲（濃度下限値以上）に維持する上で好適である。
【００８０】
そして、この工程では、めっき促進剤の濃度を０,０．２５,０．５,０．７５,１．０ｍｇ／Ｌとした５種類のめっき液を用いて、図１のめっき装置１或いは別のめっき装置で、被めっき物５にめっき処理を施して、めっき促進剤とめっき仕様（均一電着性等）との関係を求め（ステップＳ３）、目的の仕様のめっきを施すために必要なめっき促進剤の濃度値（濃度下限値）を特定し、この濃度下限値に基づき、必要に応じて所定の余裕分を加えて、めっき促進剤の濃度管理基準値を設定する（ステップＳ４）。
【００８１】
そして、上記ステップＳ２で得られた、特定周波数における濃度と位相差の関係と、上記ステップＳ４で得られた、めっき促進剤の濃度管理基準値とに基づき、めっき促進剤の濃度管理基準値に対応する、位相差の管理基準値（位相差管理基準値）を設定する（ステップＳ５）。この位相差管理基準値は、めっき促進剤の補給開始条件となる位相差値であり、制御手段３０に予め記憶させておく。
【００８２】
次に、量産めっき工程について、図８のフローチャートを参照して説明する。
【００８３】
すなわち、図１に示すように、被めっき物５を直流電源６に接続し、同直流電源６によりめっき液中に浸漬されたアノード４と被めっき物５（カソード）との間に電圧が印加されると、めっき処理が開始する。その後、測定手段１０により、濃度依存性の高い周波数領域から選択された特定周波数における位相差を測定し、そのデータがアナライザ１５を介して制御手段３０に送られる（ステップＳ１）。
【００８４】
そして、めっき工程の進行に伴うめっき促進剤の濃度低下とともに、制御手段３０に送られてくる位相差の値が、めっき促進剤の低濃度側に対応する方向（例えば図３では、位相差が大きくなる（０から遠ざかり、ずれが大きくなる）方向）に変化していき、制御手段３０に予め記憶された位相差管理基準値に到達するか、または、位相差管理基準値よりも低濃度に対応する位相差値側に外れたときに、めっき促進剤の濃度が低下して濃度管理基準値以下になったと判定され、制御手段３０から補給手段２０の補給コック２３に作動信号が送られる（ステップＳ２）。それによって、補給手段２０の補給コック２３が開き、補給タンク２１内に貯留された、めっき促進剤が補給ノズル２２を通して、めっき液中に補給される（ステップＳ３）。
【００８５】
図９には、めっき処理量（電析量）を横軸にとり、量産めっき工程の進行に伴う位相差の変動を表す図表が示されている。図９の縦軸（位相差）は、図３の縦軸（位相差）と対応するものであって、図示されている位相差領域は（例えば図３における「−０．６７rad」〜「−０．６rad」に対応する）マイナス値の位相差領域である。そして、図９の縦軸における上方向が、めっき促進剤の濃度が高くなるのに対応して位相差が小さくなる（０に近づき、ずれが小さくなる）方向であり、下方向が、めっき促進剤の濃度が低くなるのに対応して位相差が大きくなる（０から遠ざかり、ずれが大きくなる）方向である。図９に示されるように、量産めっき工程の進行によりめっき処理量が多くなると、それに伴うめっき促進剤の濃度低下に対応して位相差が徐々に大きくなり（０から遠ざかり）、位相差が所定値（すなわち、補給時期の位相差である位相差管理基準値）となったとき、または、前記位相差管理基準値よりも低濃度に対応する位相差値側に外れたときに、めっき促進剤の補給がなされて、めっき促進剤の濃度が再び高くなることにより、位相差が再び小さくなり（０に近づき、ずれが小さくなり）、所定範囲、すなわち、上記濃度許容範囲に対応する位相差許容範囲に収まるようになっており、これに対応して、めっき促進剤の濃度も、目的の仕様のめっきを施すために維持されるべき濃度許容範囲内に収まるようになっている。
【００８６】
そして、上記のステップＳ１〜Ｓ３が、所定のめっき処理時間が経過するまで、或いは、めっき処理量（電析量）が所定量となるまで繰り返されて、めっき促進剤の補給動作が適宜行われ、めっき処理が終了する。
【００８７】
なお、上述の図７〜図８による説明では、めっき促進剤の補給制御のための測定量として，特定周波数での位相差を用いるとともに、めっき促進剤の補給開始条件となる位相差管理基準値を設定してめっき促進剤の補給制御を行う構成例を示したが、本発明は、これに限定されるものでなく、めっき促進剤の補給制御のための測定量として，特定周波数での位相差から算出されためっき促進剤の濃度を用い、めっき促進剤の補給開始条件となる濃度管理基準値を設定してめっき促進剤の補給制御を行う構成とすることもできる。この後者の構成では、めっき準備工程に関する図７のフローチャートにおいて、位相差管理基準値を設定するステップＳ５は不要であり、位相差管理基準値の代わりに、ステップＳ４で設定されためっき促進剤の濃度管理基準値をめっき促進剤の補給開始条件となる濃度値として制御手段３０に予め記憶させておくことになる。また、上記後者の構成では、量産めっき工程に関する図８のフローチャートにおいて、特定周波数における位相差を測定するステップＳ１の後に、この位相差から（図７のフローチャートのステップＳ２で求められているめっき促進剤の濃度と特定周波数での位相差との関係に基づき）めっき促進剤の濃度を算出するステップを追加するとともに、ステップＳ３では、位相差と位相差管理基準値との比較判定処理の代わりに、めっき促進剤の濃度と濃度管理基準値との比較判定処理を行うことになる。
【００８８】
［湿式めっき方法及び作用効果］
次に、上記構成からなる本発明の湿式めっき装置１を用いた、本発明による湿式めっき方法について説明する。なお、各工程については既に詳述したので簡単に述べる。
【００８９】
すなわち、めっき準備工程として、図７のフローチャートに示すように、測定手段１０により、複数種のめっき促進剤濃度（めっき促進剤濃度が０,０．２５,０．５,０．７５,１．０ｍｇ／Ｌ）のめっき液の位相差−周波数特性図（ボード線図）をそれぞれ作成し（ステップＳ１）、位相差の濃度依存性が高い周波数領域から特定周波数を選択すると共に、選択された特定周波数での濃度と位相差との関係を求める（ステップＳ２）。また、上記複数の濃度と同一の濃度の各めっき液で、被めっき物５にめっき処理を施して、めっき促進剤とめっき仕様（均一電着性等）の関係を求め（ステップＳ３）、目的の仕様のめっきを施すために必要なめっき促進剤の濃度値（濃度下限値）を特定し、この濃度下限値に基づき、必要に応じて所定の余裕分を加えて、めっき促進剤の濃度管理基準値を設定する（ステップＳ４）。上記ステップＳ２,Ｓ４に基づいて、めっき促進剤の濃度管理基準値に対応する位相差管理基準値を設定し（ステップＳ５）、制御手段３０に予め記憶する。
【００９０】
そして、実際に被めっき物５にめっき処理を施す量産めっき工程は、図８に示すフローチャートのように、被めっき物５を直流電源６に接続後、めっき液中に浸漬されたアノード４と被めっき物５（カソード）との間に電圧を印加することにより、めっき処理を開始する。その後、測定手段１０により、濃度依存性の高い周波数領域から選択された特定周波数における位相差を測定し、該位相差の測定値は、アナライザ１５を介して制御手段３０に送られる。なお、めっき準備工程において、図３に示すような、選択された特定周波数でのめっき促進剤の濃度と位相差との関係が求められているので（図７のステップＳ２）、上記位相差の測定値に対応して、めっき液中のめっき促進剤の濃度を算出することができ、これにより、量産めっき工程におけるめっき液中のめっき促進剤の濃度を定常的に監視することができる。
【００９１】
そして、送られた位相差の測定値が、めっき促進剤の濃度の低下に伴い、制御手段３０に予め記憶された位相差管理基準値に到達するか、または、前記位相差管理基準値よりも低濃度に対応する位相差値側に外れたときに、制御手段３０から補給コック２３に作動信号が送ることにより（ステップＳ２）、補給コック２３を開いて、めっき促進剤をめっき液中に補給する（ステップＳ３）。その後、上記ステップＳ１〜Ｓ３が繰り返されることにより、めっき液中のめっき促進剤の濃度を、目的の仕様のめっきを施すために維持されるべき濃度許容範囲内に保つことができる。
【００９２】
以上説明したように、この湿式めっき方法においては、めっき促進剤の各濃度における位相差−周波数特性図（ボード線図）を作成し、これから求められる濃度依存性の高い周波数領域から特定周波数を選択すると共に、該特定周波数でのめっき促進剤の濃度と位相差との関係を求めておく。このため、使用するめっき液の前記特定周波数での交流インピーダンスを測定してその位相差を求めることにより、この特定周波数での位相差値は、めっき促進剤の濃度に対応する測定量となっているので、この位相差値に基づきめっき液中のめっき促進剤の濃度を算出することができるとともに、上記位相差値を、めっき促進剤の濃度管理のための制御に用いることができる。
【００９３】
したがって、目的の仕様のめっきを施すためにめっき促進剤の維持されるべき濃度許容範囲に対応して位相差許容範囲を設定しておき、上記位相差が上記位相差許容範囲に保持されるように、めっき促進剤の補給量を制御することにより、めっき液中のめっき促進剤の濃度を、維持されるべき濃度許容範囲に維持することが可能となる。このようにめっき液の特定周波数での交流インピーダンスを測定するという簡単な手段で、めっき液中の他成分等に影響されることなく、めっき促進剤の濃度を管理することが可能となり、ビアホールやスルーホール等の孔部を有するＬＳＩ配線やプリント配線板などの被めっき物に対する均一なめっきを施すことができる。
【００９４】
また、この湿式めっき方法においては、めっき促進剤が、ビス（３−スルホプロピル）ジスルフィドであることが好ましい。これによれば、めっき促進剤としてビス（３−スルホプロピル）ジスルフィドを用いると、特に精度よく濃度を維持することができる。
【００９５】
また、上記実施形態では、量産めっき工程におけるめっき促進剤の補給制御方式として、上記特定周波数での位相差値を補給制御のための測定量とし、この位相差値が位相差管理基準値に到達するか、または、位相差管理基準値よりも低濃度に対応する位相差値側に外れたときにめっき促進剤を所定量補給する構成としているが、本発明におけるめっき促進剤の補給制御方式は、上記構成に限定されるものではなく、特定周波数での位相差値から算出されためっき促進剤の濃度値を補給制御のための測定量とし、この濃度値が濃度管理基準値に到達するか、または、濃度管理基準値よりも低濃度側に外れたときにめっき促進剤を所定量補給する構成としてもよい。なお、本発明ではめっき準備工程において上記特定周波数でのめっき促進剤の濃度と位相差との関係を予め求めておくので、量産めっき工程において特定周波数での位相差値からめっき促進剤の濃度値を算出することは、例えば制御手段３０内で短時間に処理できると考えられるが、より直接的な測定量である特定周波数での位相差値の方を補給制御のための測定量とし、めっき促進剤の濃度値の方はめっき浴管理のための監視用データとしてのみ用いるようにした方が、めっき促進剤の補給制御における制御,演算処理内容を極力簡素化し、補給制御の時間遅れを極力小さくする上では、より好適と考えられる。
【符号の説明】
【００９６】
１  湿式めっき装置
３  めっき槽
４  アノード
５  被めっき物
６  直流電源
１０  交流インピーダンス測定手段（測定手段）
１１  第１電極
１２  第２電極
１３  第３電極
１５  インピーダンスアナライザ（アナライザ）
１６  交流電源
１７  制御端末
２０  促進剤補給手段（補給手段）
２１  補給タンク
２２  補給ノズル
２３  補給コック
３０  促進剤補給制御手段（制御手段）
【図１】
2010229454.tif 000004
【図２】
2010229454.tif 000005
【図３】
2010229454.tif 000006
【図４】
2010229454.tif 000007
【図５】
2010229454.tif 000008
【図６】
2010229454.tif 000009
【図７】
2010229454.tif 000010
【図８】
2010229454.tif 000011
【図９】
2010229454.tif 000012